(57)【要約】【課題】転写した塗膜と紙面との間に気泡が閉じ込められることのない、塗膜転写具用の転写ヘッドを提供する。【解決手段】テープ６は転写ヘッド１１の本体部１２の下面１４側から先端部１５を回って上面１２側へ移動する。本体部の先端部１２は、その下面側において、先端１５ａから長手方向所定の位置まで、幅方向での中央部１５ｂが両側部１５ｃ、１５ｄより下方へ突出して、下向きに凸となるように湾曲している。これにより、紙面にこの先端部を押圧したときに、中央部が両側部に比して強く押圧され、空気を外側へ追い出し、気泡を閉じ込めるのを防止する。【選択図】  図３
2005066976.tif 000002
【特許請求の範囲】
【請求項１】
ケースと、該ケース内に設けられたテープ供給リールとテープ巻取りリールと、転写ヘッドとを備えた塗膜転写具用転写ヘッドにおいて、該転写ヘッドは弾性を有する材料で形成され、先端部において紙面に押圧される細長い板状の本体部を備え、前記本体部の少なくとも下面側は、その先端から所定の範囲において、本体部の幅方向での中央部が両側部に比して下方へ突出し、下向きに凸となるように湾曲して形成されていることを特徴とする、塗膜転写具用転写ヘッド。
【請求項２】
ケースと、該ケース内に設けられたテープ供給リールとテープ巻取りリールと、転写ヘッドとを備えた塗膜転写具用転写ヘッドにおいて、該転写ヘッドは弾性を有する材料で形成され、両端部において回動可能に支持され、その幅方向中央部から両端部に向かうにつれて直径が漸次小さくなるように樽型に形成されていることを特徴とする、塗膜転写具用転写ヘッド。
【請求項３】
ケースと、該ケース内に設けられたテープ供給リールとテープ巻取りリールと、転写ヘッドとを備えた塗膜転写具用転写ヘッドにおいて、該転写ヘッドは弾性を有する材料で形成され、先端部において紙面に押圧される細長い板状の本体部を備え、該本体部の先端縁部は、幅方向中央部が両側部より突出するように円弧状に形成されていることを特徴とする、塗膜転写具用転写ヘッド。
【発明の詳細な説明】
【技術分野】
【０００１】
本発明は塗膜転写具に関する。さらに詳細に言えば、その転写ヘッドに関し、転写性能が改善された転写ヘッドに関する。
【背景技術】
【０００２】
従来から修正用の塗膜或いは糊などの塗膜を有するテープを備えた塗膜転写具が使用されている。この塗膜転写具は、テープを供給する側の供給リールと、テープを巻き取る側の巻取りリールとを備え、転写ヘッドを紙面などに押付けながら転写具を移動させ、これによりテープを供給リールから繰出して供給リール、巻取りリールを回転させ、連続的に塗膜を転写する。
【０００３】
転写ヘッドの一つのタイプとして、板状或いはへら状のものがある。テープは、ヘッドの下側からヘッドの先端を回ってヘッドの上側へ伸びており、ヘッドが紙面に押圧された状態で移動することにより、テープが供給リールを回転させながら引出され、巻取りリールに巻き取られる。通常の使用状態でヘッドが紙面に押圧される際、ヘッドの先端部即ちヘッドの下面側のその先端から若干の長さに渡る先端隣接部分が紙面に接触することとなる。このヘッドの先端縁部はヘッドの長手方向に対して直交するように直線的に形成され、先端及び先端隣接部分は平らに形成されている。
【０００４】
他のタイプのヘッドとして、両端において回転可能に支持された、ゴム或いは軟質プラスチック等で成形された転着ローラがある。この転着ローラを紙面に押圧しながら転写具を移動すると、転着ローラが回転しながらテープを繰出すこととなる。この転着ローラは、軸方向いずれの位置においても同一直径に形成されている。
【０００５】
上記の如き転写ヘッドを使用した場合、時として転写の性能が悪くなることがある。具体的現象としては、紙面側に転写された塗膜即ち粘着剤と紙面との間に気泡が閉じ込められることがある。温度の低い場合などに粘着剤が硬くなって紙への密着性が悪化し、気泡が生じやすくなると思われるが、特にテープの幅方向で見て中央部分に閉じ込められることが多いという現象が有る。これは、上記の転写ヘッドを使用した場合には、ヘッドを紙面に押付けたときの押圧力即ち転写力は、幅方向中央部で両側部分に比して低くなるためである。
【０００６】
【特許文献１】特許第２９９５６５９号公報
【特許文献２】特許第２７４６２３８号公報
【発明の開示】
【発明が解決しようとする課題】
【０００７】
本願発明は上記従来の問題点に鑑みなされたものであり、転写した塗膜と紙面との間に気泡が閉じ込められることのない、塗膜転写具用の転写ヘッドを提供することをその課題とする。
【課題を解決するための手段】
【０００８】
上記課題を解決するために、本願発明の転写ヘッドでは以下の構成を採用した。即ち、この転写ヘッドは弾性を有する材料で形成し、先端部において紙面に押圧される細長い板状の本体部を備えている。この本体部の少なくとも下面側は、その先端から所定の範囲において、本体部の幅方向での中央部が両側部に比して下方へ突出し、下向きに凸となるように湾曲して形成されている。
【０００９】
他の実施の形態に係る転写ヘッドでは、これを弾性を有する材料で、両端部において回動可能に支持される樽型に形成する。その形状は、その幅方向中央部から両端部に向かうにつれて直径が漸次小さくなるようにしてある。
【００１０】
さらに他の実施の形態に係る転写ヘッドは、弾性を有する材料で形成され、先端部において紙面に押圧される細長い板状の本体部を備え、その本体部の先端縁部は、幅方向中央部が両端部より突出するように円弧状に形成されている。
【発明の効果】
【００１１】
本願発明の転写ヘッドによれば、転写ヘッドを紙面に押圧したときに、ヘッドの幅方向で中央部が両側部に比して強い圧力で押しつけられ、空気を押出し、気泡が閉じ込められるのを防止する。
【発明を実施するための最良の形態】
【００１２】
以下図面を参照しながら本願発明の好適な実施の形態について説明する。図１は、第1の実施の形態に係る転写ヘッド１１を使用した塗膜転写具１の断面図、図2はその転写ヘッド１１の斜視図、図３は転写ヘッド１１の先端部分の拡大図である。
【００１３】
図において符号３はケースであり、ケース３内に回転可能にテープ供給リール４とテープ巻取りリール５とが配置され、テープ６は供給リールから転写ヘッド１１の下面１４側から先端部１５を回って上面１３側へ伸び、巻取りリール５により巻き取られるようになっている。巻取りリール５は、公知のように一体的に設けられた歯車が噛合うことにより供給リール４に連動するようになっている。
【００１４】
転写ヘッド１１は本実施の形態では弾性を有するプラスチック材料で作られており、細長い板状に形成された本体部１２を備えている。本体部１２の後端部には、本体部１２の上、下面１３、１４からそれぞれ上方及び下方へ、所定の間隔で互いに対向して延びる板状部により形成される取付け部１６が設けられ、この取付け部にケース３に形成された突起部３ａが嵌ることにより、ケース3に取り付けられている。符号１７は、テープ６のズレを防止するガイド部である。
【００１５】
図3は転写ヘッド１１の先端部１５の拡大図であり、Ａは図2における矢印Ａ方向から見た転写ヘッド１１の正面端面図であり、Ｂは矢印Ｂ方向から見た右側面図である。図から判るとおり、ヘッド１１の先端部１５は、その先端１５ａから本体部１２の長手方向所定の位置まで、本体部１２の幅方向での中央部１５ｂが両側部１５ｃ、１５ｄより下方へ僅かに突出し、この部分が下向きに凸となるように湾曲している。なお、図3においては誇張して示してある。
【００１６】
図のような転写ヘッド１１を使用した場合、ヘッド１１の先端部１５を紙面Ｐに押圧した場合、先端部１５は図3のＡに実線で示されるように幅方向中央部１５ｂが紙面に当接し、両側部１５ｃ、１５ｄが紙面から浮いた状態から、弾性変形して二点鎖線で示されるように幅方向全体で押圧されるようになる。従って、先端部１５はその幅方向中央部１５ｂが両側部１５ｃ、ｄより高い圧力で紙面に押圧されることとなる。これにより、中央部１５ｂに充分な圧力を作用させることができ、確実に空気を押出して、気泡の取り込みが生じないようにすることができる。
【００１７】
図4は第2の実施の形態にかかる転写ヘッド２１の正面図である。この転写ヘッド２１は、幅方向での中央部の直径が両側部に比して大きく、即ち、中央部から両側部へ向かうにつれて直径が次第に小さくなるように樽型に形成された回転体であり、その幅方向両端部において図中の中心線回りに回転可能に塗膜転写具のケース（図示省略）に取付けられる。そしてテープがその周囲の一部を回って供給リールから巻取りリール（いずれも図示省略）へと延びている。
【００１８】
この転写ヘッド２１を使用した場合にも、転写ヘッド２１を紙面に押圧すると、ヘッド２１はその幅方向中央部が両側部に比して大きく弾性変形し、中央部において両側部よりも大きな圧力で紙面に押圧されることとなる。
【００１９】
図5は第３の実施の形態に係る転写ヘッド31の先端部３２の拡大図であり、Ａは正面端面図、Ｂは右側面図、Ｃは平面図である。図から判るとおり、このヘッド３１は、第1の実施の形態と同様に細長い板状の本体部３２を備え、その本体部３２の先端縁部３３が、幅方向での中央部が両側部に比して前方へ突出し、先端縁部３３が円弧状になっている。
【００２０】
この転写ヘッド３１を使用した場合にも、転写ヘッド３１を紙面に押圧すると、ヘッド３１はその幅方向中央部が両側部に比して大きく弾性変形し、中央部において両側部よりも大きな圧力で紙面に押圧されることとなる。
【図面の簡単な説明】
【００２１】
【図１】本発明の第1の実施の形態に係る転写ヘッドを使用した塗膜転写具の断面図である。
【図２】第１の実施の形態に係る転写ヘッドの斜視図である。
【図３】転写ヘッドの先端部を示す部分拡大図で、Ａは正面端面図、Ｂは右側面図である。
【図４】第2の実施の形態に係る転写ヘッドの正面図である。
【図５】第3の実施の形態に係る転写ヘッドの先端部を示す図で、Ａは正面端面図、Ｂは右側面図、Ｃは平面図である。
【符号の説明】
【００２２】
１  塗膜転写具
３  ケース
４  テープ供給リール
５  テープ巻取りリール
６  テープ
１１  転写ヘッド
１２  本体部
１３  上面
１４  下面
１５  先端部
１５ａ  先端
１５ｂ  中央部
１５ｃ、１５ｄ  側部
２１  転写ヘッド
３１  転写ヘッド
【図１】
2005066976.tif 000003
【図２】
2005066976.tif 000004
【図３】
2005066976.tif 000005
【図４】
2005066976.tif 000006
【図５】
2005066976.tif 000007